(57)【特許請求の範囲】
【請求項１】
共同玄関に設置される集合玄関機（２）及び管理人室に設置される管理室親機（１）に接続される集合インターホン制御装置（３）と、前記管理室親機及び前記集合インターホン制御装置の機能を抱合し前記集合玄関機に接続された住棟受信機（７）との一方にデータ線（Ｌ１）、通話線（Ｌ２）で接続され、かつ住戸に設置され異常を検出するために１以上のセキュリティセンサ（６ａ〜６ｃ）に接続されるセキュリティインターホン（４ａ、４ｂ、・・・）を備え、
前記セキュリティインターホンは、前記集合インターホン制御装置または前記住棟受信機から前記データ線を介して伝送される伝送信号である、前記集合インターホン制御装置に専用に用いられる信号、前記住棟受信機に専用に用いられる信号、双方に共通で用いられ前記セキュリティインターホンが同じ動作をする信号、双方に共通で用いられ前記セキュリティインターホンが異なる動作をする信号にそれぞれ応じて割当てられる区分を動作区分情報として記憶する記憶部（２１）と、前記集合インターホン制御装置及び前記住棟受信機に対して記憶された動作区分情報に基づく動作を行なわせるＣＰＵ（１２）とを備えた集合住宅セキュリティインターホン装置。
【請求項２】
前記記憶部は、前記データ線を通じて前記集合インターホン制御装置若しくは前記住棟受信機より伝送された動作区分情報を記憶するものである請求項１記載の集合住宅セキュリティインターホン装置。
【発明の詳細な説明】
【０００１】
【発明の属する技術分野】
発明は、集合住宅インターホン装置にセキュリティ機能を組み込ませた集合住宅セキュリティインターホン装置に関し、特に、各種集合住宅インターホン装置に対応可能な集合住宅セキュリティインターホン装置に係わる。
【０００２】
【従来の技術】
従来から、集合住宅の管理人室に設けられる管理室親機と、共同玄関に設けられる集合玄関機と、各住戸にそれぞれ設けられる室内機とを備え、管理室親機、集合玄関機、室内機間で通話を行う集合住宅インターホン装置に、各住戸に設けられる火災センサ、ガス漏れセンサ、防犯センサ等により異常を検知し警報を発するセキュリティ装置を組み込ませた集合住宅セキュリティインターホン装置があった。
【０００３】
集合住宅セキュリティインターホン装置は、図６（ａ）に示すように、管理人室に設置される管理室親機１０１と、共同玄関に設置される集合玄関機１０２とが集合インターホン制御装置１０３に接続されると共に、各住戸室内に設置されるセキュリティインターホン１０４ａ、１０４ｂ、・・・が伝送線Ｌ３、Ｌ４を介して集合インターホン制御装置１０３に接続され、これらが集合インターホン制御装置１０３により制御され、管理室親機１０１、集合玄関機１０２、セキュリティインターホン１０４ａ、１０４ｂ、・・・間で通話を行うことができる。各セキュリティインターホン１０４ａ、１０４ｂ、・・・には、各住戸玄関に設置される玄関子機１０５と、セキュリティセンサ、例えば、火災センサ１０６ａ、ガス漏れセンサ１０６ｂ、防犯センサ１０６ｃ等とが接続され、各セキュリティインターホン１０４ａ、１０４ｂ、・・・において、玄関子機１０５と通話を行うことができると共に、火災センサ１０６ａ、ガス漏れセンサ１０６ｂ、防犯センサ１０６ｃから検知信号が出力され各セキュリティインターホン１０４ａ、１０４ｂ、・・・に入力されると、検知信号に基づいて音声による警報音や、表示灯の点灯により居住者に異常の発生を報知するようになっている。更に、検知信号は集合インターホン制御装置１０３を介して管理室親機１０１に伝送され、管理室親機１０１において異常の発生が管理人にも報知されるようになっている。
【０００４】
また、他の集合住宅セキュリティインターホン装置として、図６（ｂ）に示すように、共同玄関に設置される集合玄関機１０７が管理人室に設置される住棟受信機１０９に接続されると共に、各住戸に設置されるセキュリティインターホン１０８ａ、１０８ｂ、・・・が伝送線Ｌ５、Ｌ６を介して住棟受信機１０９に接続されたものがあった。セキュリティインターホン１０８ａ、１０８ｂ、・・・には各住戸玄関に設置される玄関子機１０５と、セキュリティセンサ、例えば、火災センサ１０６ａ、ガス漏れセンサ１０６ｂ、防犯センサ１０６ｃとが接続される。住棟受信機１０９は、図６（ａ）に示す集合住宅セキュリティインターホン装置の管理室親機１０１と、集合インターホン制御装置１０３とを合わせた機能を有するものであり、住棟受信機１０９、集合玄関機１０７、セキュリティインターホン１０８ａ、１０８ｂ、・・・間で通話を可能とし、火災センサ１０６ａ、ガス漏れセンサ１０６ｂ、防犯センサ１０６ｃからの検知信号に基づいて、各住戸において警報音の鳴動、表示灯による表示を行うと共に、住棟受信機１０９においても警報を発し、管理人に異常の発生を報知する。また、火災センサ１０６ａからの検知信号が住棟受信機１０９に入力された場合、住棟受信機１０９から、検知信号を出力したセキュリティインターホン１０８ａが設置される住戸の近隣の住戸（例えば、隣合う住戸や、直上階の住戸）のセキュリティインターホン１０８ｂ、・・・に対し、警報音の鳴動、表示灯による表示のコマンドを発して、近隣の住居人に対しても報知し、迅速に避難できるようにしている。
【０００５】
【発明が解決しようとする課題】
しかしながら、このような集合住宅セキュリティインターホン装置においては、集合インターホン制御装置１０３に接続されるセキュリティインターホン１０４ａ、１０４ｂ、・・・と、住棟受信機１０９に接続されるセキュリティインターホン１０８ａ、１０８ｂ、・・・とは、伝送線Ｌ３、Ｌ４またはＬ５、Ｌ６を介して送受される伝送信号に差異があり、集合インターホン制御装置１０３と、住棟受信機１０９とから同じ伝送信号が制御信号としてセキュリティインターホン１０４ａ、１０４ｂ、・・・または１０８ａ、１０８ｂ、・・・、へ出力された場合であっても、セキュリティインターホン１０４ａ、１０４ｂ、・・・またはセキュリティインターホン１０８ａ、１０８ｂ、・・・において警報音の鳴動や、表示灯の表示等の動作を異ならせる必要がある他、接続用のジャンパスイッチ等の使用部品等も、機種に対応して個別に製造しなければならなかった。このため、集合住宅セキュリティインターホン装置に対応した各種のセキュリティインターホンを製造しなければならず、多品種の製造を余儀なくされていた。
【０００６】
本発明は、このような難点を解消するためになされたものであり、各集合住宅セキュリティインターホン装置の機種によらず一律に適用できるセキュリティインターホンを使用することができる集合住宅セキュリティインターホン装置を提供することを目的とする。
【０００７】
【課題を解決するための手段】
上記の目的を達成するため、本発明の集合住宅セキュリティインターホン装置は、共同玄関に設置される集合玄関機及び管理人室に設置される管理室親機に接続される集合インターホン制御装置と、管理室親機及び集合インターホン制御装置の機能を抱合し集合玄関機に接続された住棟受信機との一方にデータ線、通話線で接続され、かつ住戸に設置され異常を検出するために１以上のセキュリティセンサに接続されるセキュリティインターホンを備え、セキュリティインターホンは、集合インターホン制御装置または住棟受信機からデータ線を介して伝送される伝送信号である、集合インターホン制御装置に専用に用いられる信号、住棟受信機に専用に用いられる信号、双方に共通で用いられセキュリティインターホンが同じ動作をする信号、双方に共通で用いられセキュリティインターホンが異なる動作をする信号にそれぞれ応じて割当てられる区分を動作区分情報として記憶する記憶部と、集合インターホン制御装置及び住棟受信機に対して記憶された動作区分情報に基づく動作を行なわせるＣＰＵとを備えたものである。
【０００８】
また、本発明の集合住宅セキュリティインターホン装置は、記憶部は、データ線を通じて集合インターホン制御装置若しくは住棟受信機より伝送された動作区分情報を記憶するものである。
【０００９】
本発明の集合住宅セキュリティインターホン装置によれば、管理室親機、集合玄関機、各住戸に設置されるセキュリティインターホン間の通話を制御する装置として、集合インターホン制御装置または住棟受信機の何れを使用した場合であっても、集合インターホン制御装置または住棟受信機からセキュリティインターホンに伝送される伝送信号に応じた動作区分情報を記憶する記憶部を設けたため、セキュリティインターホンに設けられるセキュリティセンサからの異常の検出を、集合インターホン制御装置または住棟受信機において受信し、他のセキュリティインターホンへ伝送し、他のセキュリティインターホンにおいて警報を行うことができる。このため、何れの制御装置を使用する集合住宅セキュリティインターホン装置であっても、１種のセキュリティインターホンを適用することができる。また、伝送信号の相違による誤動作、機能不完全等のトラブルを生じないため、安全で安定した集合住宅セキュリティインターホン装置とすることができる。
【００１０】
【発明の実施の形態】
以下、本発明の集合住宅セキュリティインターホン装置を適用した好ましい実施形態について図面を参照して説明する。
【００１１】
集合住宅セキュリティインターホン装置は、図１（ａ）に示すように、管理人室に設置される管理室親機１と、共同玄関に設置される集合玄関機２とが集合インターホン制御装置３に接続されると共に、各住戸室内に設置されるセキュリティインターホン４ａ、４ｂ、・・・がデータ線Ｌ１、通話線Ｌ２を介して集合インターホン制御装置３に接続される。また、各セキュリティインターホン４ａ、４ｂ、・・・には、各住戸玄関に設置される玄関子機５と、セキュリティセンサ６ａ、６ｂ、６ｃ、例えば、火災センサ、ガス漏れセンサ、防犯センサ、心臓発作等の緊急事態を報知するためのトイレコール、バスコール等とが接続される。
【００１２】
また、集合住宅セキュリティインターホン装置は、図１（ｂ）に示すように、共同玄関に設置される集合玄関機２が管理人室に設置される住棟受信機７に接続されると共に、各住戸に設置されるセキュリティインターホン４ａ、４ｂ、・・・がデータ線Ｌ１及び通話線Ｌ２を介して住棟受信機７に接続されたものである。住棟受信機７は、図１（ａ）に示す管理室親機１と、集合インターホン制御装置３とを抱合した機能を持つものであり、また、セキュリティインターホン４ａ、４ｂ、・・・は、図１（ａ）に示すセキュリティインターホンと全く同様のものであり、図１（ａ）に示すものと同様の玄関子機５と、セキュリティセンサ６ａ、６ｂ、６ｃ等とが接続される。
【００１３】
このような集合住宅インターホン装置のセキュリティインターホン４ａ、４ｂ、・・・は、図２に示すように、セキュリティセンサの設定等を行うボタン操作、スイッチ設定に基づく操作キー入力部１１と、操作キー入力部１１からの設定信号に基づいて制御を行うＣＰＵ１２と、セキュリティセンサ６ａ、６ｂ、６ｃからの検知信号が入力されるとＣＰＵ１２へ異常信号を出力するセンサ入力部１２ａが備えられる。ＣＰＵ１２には、表示部１３と、音響部１４とが接続され、センサ入力部１２ａからの異常信号が入力されたＣＰＵ１２から設定信号に基づいて出力される駆動信号により、表示部１３において表示灯の点滅等により異常の発生を報知し、音響部１４から警報音発生信号をスピーカ１５へ出力し、警報音が放音されるようになっている。
【００１４】
また、表示部１３においては、玄関子機５、集合玄関機２、管理室親機１あるいは住棟受信機７から通話のための呼出があった場合に、呼出表示が行われると共に、音響部１４からスピーカ１５へ呼出音発生信号が出力され、スピーカ１５から呼出音が放音されるものである。
【００１５】
また、ＣＰＵ１２には、データ線Ｌ１を介して集合インターホン制御装置３または住棟受信機７へデータを多重化して伝送する多重伝送部１６と、通話線Ｌ２を介して集合インターホン制御装置３または住棟受信機７と通話信号の送受を行う通話部１７と、玄関子機５間の通話信号を送受する子機通話部１８とが接続され、通話部１７及び子機通話部１８には玄関子機５、管理室親機１または住棟受信機７、集合玄関機２と通話を送受するための送受器１９が接続される。尚、セキュリティインターホン４ａ、４ｂ、・・・には、これらの装置を駆動させる電源を供給する電源部２０が設けられる。
【００１６】
このようなセキュリティインターホン４ａ、４ｂ、・・・のＣＰＵ１２には、記憶部２１が接続される。記憶部２１は、セキュリティインターホン４ａ、４ｂ、・・・が、集合インターホン制御装置３または住棟受信機７の何れとも信号の送受を可能とし、集合インターホン制御装置３または住棟受信機７を選ばずに同一の構造をもって適用可能とするものであり、集合インターホン制御装置３または住棟受信機７からデータ線Ｌ１を介して伝送される伝送信号に応じた動作区分情報を記憶するものである。図３は伝送信号の割付表を示し、例えば、区分２１ａ、２１ｂ、２１ｃ、２１ｄと４つの区分とするものである。区分２１ａは集合インターホン制御装置３から送信される専用の集合インターホン制御信号を示し、区分２１ｂは住棟受信機７から送信される専用の住棟受信機制御信号を示し、区分２１ｃは集合インターホン制御装置３と住棟受信機７から同一の信号であって、セキュリティインターホン４ａ、４ｂ、・・・が同一の動作を行う共通動作制御信号を示し、区分２１ｄは集合インターホン制御装置３と住棟受信機７とから同一の信号であって、セキュリティインターホン４ａ、４ｂ、・・・が異なる動作を行う異動作制御信号を示す。
【００１７】
このように区分された動作区分情報を記憶部２１において記憶、読み出しの動作について説明する。
【００１８】
（１）集合インターホン制御装置３が設けられる場合
集合インターホン制御装置３からセキュリティインターホン４ａに対し、動作区分情報として集合インターホン制御信号が送出され、セキュリティインターホン４ａにおいて、多重伝送部１４を介してＣＰＵ１２に集合インターホン制御信号が入力されると、自己が集合インターホン制御装置３と接続されていると判断される。そして、集合インターホン制御信号は、ＣＰＵ１２の制御により動作区分情報として記憶部２１に記憶される。
【００１９】
セキュリティインターホン４ａが集合インターホン制御装置３に接続されている場合は、セキュリティインターホン４ａにおいて、住棟受信機制御信号を受取ることはない。
【００２０】
集合インターホン制御装置３から、共通動作制御信号がセキュリティインターホン４ａのＣＰＵ１２に入力されると、区分２１ｃの、例えば、上位０−下位８に示される信号となる。共通動作制御信号は、集合インターホン制御装置３と、住棟受信機７から伝送される伝送信号が同一であって、セキュリティインターホン４ａにおいて同一の動作が行われることを示す信号、例えば、集合玄関機２からの呼出信号であって、スピーカ１５から同一の呼出音を鳴動させることを示すものである。上位０−下位８に共通動作制御信号が割当てられているとき、集合玄関機２からの呼出信号がデータ線Ｌ１、多重伝送部１６を介してＣＰＵ１２に入力されると、ＣＰＵ１２の制御によって区分２１ｃに割当てられている呼出信号に基づく動作が行われ、音響部１４から呼出音発生信号がスピーカ１５に送出され、スピーカ１５から呼出音が放音される。
【００２１】
集合インターホン制御装置３から、異動作制御信号がセキュリティインターホン４ａのＣＰＵ１２に入力されると、区分２１ｄの、例えば、上位８−下位８に示される信号となる。異動作制御信号は、集合インターホン制御装置３と、住棟受信機７から伝送される伝送信号が同一であって、セキュリティインターホン４ａにおいて異なる動作が行われることを示す信号、例えば、管理室親機７からの呼出信号であって、スピーカ１５から異なる呼出音を鳴動させることを示すものである。上位８−下位８に異動作制御信号が割当てられているとき、管理室親機７からの呼出信号がデータ線Ｌ１、多重伝送部１６を介してＣＰＵ１２に入力されると、ＣＰＵ１２の制御によって区分２１ｄに割当てられている呼出信号に基づく動作が行われ、音響部１４から呼出音発生信号がスピーカ１５に送出され、スピーカ１５から集合インターホン制御装置３として設定されている呼出音が放音される。
【００２２】
（２）住棟受信機７が設けられる場合
住棟受信機７からセキュリティインターホン４ａに対し、動作区分情報として住棟受信機制御信号が送出され、セキュリティインターホン４ａにおいて、多重伝送部１４を介してＣＰＵ１２に住棟受信機制御信号が入力されると、自己が住棟受信機７と接続されていると判断される。そして、住棟受信機制御信号は、ＣＰＵ１２の制御により動作区分情報として記憶部２１に記憶される。
【００２３】
セキュリティインターホン４ａが住棟受信機７に接続されている場合は、セキュリティインターホン４ａにおいて、集合インターホン制御信号を受取ることはい。
【００２４】
住棟受信機７から、共通動作制御信号がセキュリティインターホン４ａのＣＰＵ１２に入力されると、区分２１ｃの、例えば、上位０−下位８に示される信号となる。共通動作制御信号は、上述のように、集合インターホン制御装置３と、住棟受信機７から伝送される伝送信号が同一であって、セキュリティインターホン４ａにおいて同一の動作が行われることを示す信号、例えば、集合玄関機２からの呼出信号であって、スピーカ１５から同一の呼出音を鳴動させることを示すものである。上位０−下位８に共通動作制御信号が割当てられているとき、集合玄関機２からの呼出信号がデータ線Ｌ１、多重伝送部１６を介してＣＰＵ１２に入力されると、ＣＰＵ１２の制御によって区分２１ｃに割当てられている呼出信号に基づく動作が行われ、音響部１４から呼出音発生信号がスピーカ１５に送出され、スピーカ１５から呼出音が放音される。
【００２５】
住棟受信機７から、異動作制御信号がセキュリティインターホン４ａのＣＰＵ１２に入力されると、区分２１ｄの、例えば、上位８−下位９に示される信号となる。異動作制御信号は、上述のように、集合インターホン制御装置３と、住棟受信機７から伝送される伝送信号が同一であって、セキュリティインターホン４ａにおいて異なる動作が行われることを示す信号、例えば、管理室親機７からの呼出信号であって、スピーカ１５から異なる呼出音を鳴動させることを示すものである。上位８−下位９に異動作制御信号が割当てられているとき、管理室親機７からの呼出信号がデータ線Ｌ１、多重伝送部１６を介してＣＰＵ１２に入力されると、ＣＰＵ１２の制御によって区分２１ｄに割当てられている呼出信号に基づく動作が行われ、音響部１４から呼出音発生信号がスピーカ１５に送出され、スピーカ１５から住棟受信機７として設定されている呼出音が放音される。
【００２６】
このような集合住宅セキュリティインターホン装置において、セキュリティ機能について説明する。
【００２７】
集合インターホン制御装置３または住棟受信機７から、データ線Ｌ１、セキュリティインターホン４ａ、４ｂ、・・・の多重伝送部１６、ＣＰＵ１２を介して記憶部２１へ共通動作制御信号としてセンサ割付信号が送出され、記憶部２１に区分２１ｃの動作区分情報信号として記憶される。センサ割付信号は、図４（ａ）に示すように、割当てられる区分２１ｃの上位−下位の位置、例えば、区分２１ｃの上位２−下位Ａの場合は「２Ａ」として、各セキュリティセンサ６ａ、６ｂ、６ｃを示す８ビットの信号が割当てられている信号である。このようなセンサ割付信号が記憶部２１に記憶されている場合、例えば図４（ｂ）に示すように、セキュリティセンサ６ａが火災センサ、セキュリティセンサ６ｂがガス漏れセンサ、セキュリティセンサ６ｃが非常センサを指定している。セキュリティインターホン４ａにおいて、セキュリティセンサ６ａから検知信号が出力されると、火災センサからの入力としてＣＰＵ１２の制御により図５（ａ）に従い表示部１３において火災発生表示されると共に、音響部１４から火災警報音発生信号が出力され、スピーカ１５から「火事です、火事です」という警報音が放音され、セキュリティインターホン４ａが設置される住戸において火災警報がなされる。更に、集合インターホン制御装置３に接続される管理室親機１または住棟受信機７において警報表示、警報音の放音がなされる。
【００２８】
また、セキュリティセンサ６ｂ、６ｃから検知信号が出力されると、セキュリティセンサ６ａと同様にセキュリティセンサ６ｂ、６ｃからのセンサ入力はＣＰＵ１２の制御により表示部１３においてガス漏れ、非常発生表示されると共に、音響部１４からガス漏れ警報音発生信号、非常警報音発生信号が出力され、スピーカ１５から「ガス漏れです」、「緊急事態発生」といった警報音が放音され、セキュリティインターホン４ａが設置される住戸においてガス漏れ警報、非常発生警報の放音がなされる。更に、集合インターホン制御装置３に接続される管理室親機１または住棟受信機７においてガス漏れ、非常発生の警報表示、警報音の放音がなされる。
【００２９】
また、他の実施例として、図４（ｃ）に示すようにセキュリティセンサ６ａがトイレコール、セキュリティセンサ６ｂがバスコール、セキュリティセンサ６ｃが非常センサに指定された場合、各セキュリティセンサの入力によりセキュリティインターホン４ａにおいて、ＣＰＵ１２の制御により図５（ｂ）に従い表示部１３において、トイレ緊急事態発生、バス緊急事態発生、非常発生表示されると共に、音響部１４からトイレ緊急事態警報音発生信号、バス緊急事態警報音発生信号、非常警報音発生信号が出力され、スピーカ１５から「トイレで緊急事態発生」、「お風呂で緊急事態発生」、「緊急事態発生」といった警報音が放音され、セキュリティインターホン４ａが設置される住戸においてトイレ緊急事態発生、バス緊急事態発生、非常発生警報がなされる。更に、集合インターホン制御装置３に接続される管理室親機１または住棟受信機７においてトイレ緊急事態発生、バス緊急事態発生、非常発生の警報表示、警報音の放音がなされる。
【００３０】
また、記憶部２１で記憶する動作区分情報が何らかの外乱により誤った情報となっても、集合インターホン制御装置３または住棟受信機７から任意の時間間隔で繰返し伝送信号をセキュリティインターホン４ａ、４ｂ、・・・へ伝送することにより、記憶部２１の動作区分情報は最新の情報に置き換わるため、誤動作の要因を減らすことができる。
【００３１】
上記説明は本発明の集合住宅セキュリティインターホン装置の一実施態様であって、本発明はこれに限定されない。即ち、記憶部はＣＰＵの外に設けたものでなくとも、ＣＰＵに内蔵される記憶機能を用いてもよい。また、音響部は、センサの種別により予め定めた警報音をスピーカから報音させるものとせずに、集合インターホン制御装置または住棟受信機の音源を用い通話線Ｌ２を介して伝送される音声信号をスピーカから放音させるものであってもよい。
【００３２】
また、セキュリティインターホンがデータ線、通話線を介して接続されるのは、集合インターホン制御装置と、住棟受信機に限定されるものではなく、また、記憶部において伝送信号が記憶される領域の区分も４区分に限定するものではなく、セキュリティインターホンの接続先を３個以上とし、接続先に応じて記憶部の区分を４個以上としてもよい。
【００３３】
【発明の効果】
以上の説明から明らかなように、本発明の集合住宅セキュリティインターホン装置によれば、管理室親機、集合玄関機、各住戸に設置されるセキュリティインターホン間の通話を制御する装置として、集合インターホン制御装置または住棟受信機の何れを使用した場合であっても、集合インターホン制御装置または住棟受信機からセキュリティインターホンに伝送されるデータを、領域を区分した記憶部に記憶するようにしたため、セキュリティインターホンに設けられるセキュリティセンサからの異常の検出を、集合インターホン制御装置または住棟受信機において受信し、他のセキュリティインターホンへ伝送し、他のセキュリティインターホンにおいて警報を行うことができる。このため、何れの制御装置を使用する集合住宅セキュリティインターホン装置であっても、１種のセキュリティインターホンを適用することができ、まとめて製造することができる。また、伝送信号の相違による誤動作、機能不完全等のトラブルを生じないため、安全で安定した集合住宅セキュリティインターホン装置とすることができる。
【図面の簡単な説明】
【図１】  （ａ）は本発明における集合インターホン制御装置を用いた集合住宅セキュリティインターホン装置の一実施例を示す構成図。
（ｂ）は本発明における住棟受信機を用いた集合住宅セキュリティインターホン装置の一実施例を示す構成図。
【図２】  本発明の集合住宅セキュリティインターホン装置のセキュリティインターホンを示す構成図。
【図３】  本発明の集合住宅セキュリティインターホン装置における伝送信号の割付表を示す説明図。
【図４】  本発明の集合住宅セキュリティインターホン装置のセンサ割付信号を示す説明図。
【図５】  本発明の集合住宅セキュリティインターホン装置の動作を示す説明図。
【図６】  （ａ）は従来の集合住宅セキュリティインターホン装置を示す構成図。
（ｂ）は従来の集合住宅セキュリティインターホン装置を示す構成図。
【符号の説明】
１・・・・・・管理室親機
２・・・・・・集合玄関機
３・・・・・・集合インターホン制御装置
４ａ、４ｂ、・・・  ・・・・・・セキュリティインターホン
６ａ、６ｂ、６ｃ・・・・・・セキュリティセンサ
７・・・・・・住棟受信機
１２・・・・・・ＣＰＵ
２１・・・・・・記憶部
Ｌ１・・・・・・データ線
Ｌ２・・・・・・通話線
【図１】
0004615109.tif 000002
【図２】
0004615109.tif 000003
【図３】
0004615109.tif 000004
【図４】
0004615109.tif 000005
【図５】
0004615109.tif 000006
【図６】
0004615109.tif 000007